(57)【要約】
【課題】天幕シートをテント骨組体に対して確実にかつ強固に、しかも極めて省力的に取付けるための天幕取付具を提供すること。
【解決手段】所望の長さ寸法を有する有端の締付体２でなり、前記有端の締付体は、その長さ方向両端部分２ａ、２ｂに、天幕シート２３に設けた第１および第２の連結部２８、２９に対してそれぞれ個別に係合連結される第１および第２の連結手段３、４を備え、長さ方向の適宜部位が長さ方向に伸縮する伸縮手段５によって形成され、前記有端の締付体におけるいずれか一方の連結手段を前記天幕に設けたいずれか一方の連結部に係合連結し、テント骨組２２の横梁２５を抱え込んで前記有端の締付体における他方の連結手段を前記天幕に設けた他方の連結部に係合連結して天幕をテント骨組に固定するようにしたことを特徴とする天幕式テントにおける天幕取付具。
【選択図】図３
0003100361.tif 000002
【実用新案登録請求の範囲】
【請求項１】
所望の長さ寸法を有する有端の締付体でなり、前記有端の締付体は、その長さ方向両端部分に、天幕に設けた第１および第２の連結部に対してそれぞれ個別に係合連結される第１および第２の連結手段を備え、長さ方向の適宜部位が長さ方向に伸縮する伸縮手段によって形成されており、前記有端の締付体におけるいずれか一方の連結手段を前記天幕に設けたいずれか一方の連結部に係合連結し、テント骨組の横梁を抱え込んで前記有端の締付体における他方の連結手段を前記天幕に設けた他方の連結部に係合連結して天幕をテント骨組に固定するようにしたことを特徴とする天幕式テントにおける天幕取付具。
【請求項２】
前記有端の締付体の長さ方向両端部分に設けた第１および第２の連結手段が、トリガ−スナップタイプのフック素子であることを特徴とする請求項１に記載の天幕式テントにおける天幕取付具。
【請求項３】
前記有端の締付体に設けた伸縮手段が、コイルスプリング素子であることを特徴とする請求項１あるいは請求項２に記載の天幕式テントにおける天幕取付具。
【請求項４】
前記有端の締付体に設けた伸縮手段が、弾性を有する帯状体であることを特徴とする請求項１あるいは請求項２に記載の天幕式テントにおける天幕取付具。
【請求項５】
前記天幕に設けた第１の連結部が、前記天幕の内面に取り付けられた孔付きのペケット片からなり、前記天幕に設けた第２の連結部が、天幕に設けてある既存の結び紐挿通孔であることを特徴とする請求項１〜請求項４のいずれかに記載の天幕式テントにおける天幕取付具。
【請求項６】
前記天幕に設けた第１の連結部が、前記天幕の内面に取り付けられた孔付きのペケット片からなり、前記天幕に設けた第２の連結部が、天幕に設けてある既存の結び紐をループ状に結んで形成したものからなることを特徴とする請求項１〜請求項４のいずれかに記載の天幕式テントにおける天幕取付具。
【請求項７】
前記天幕に設けた第１の連結部が、テント骨組における棟梁であり、前記天幕取付具を補助連結部材を介して前記棟梁に連結してなることを特徴とする請求項１〜請求項４のいずれかに記載の天幕式テントにおける天幕取付具。
【考案の詳細な説明】
【技術分野】
【０００１】
この考案は、その使用に際して、テント骨組体を組み立て、該テント骨組体に天幕を被せるようにして取付けるタイプの天幕式テントに係るものであり、特に、当該天幕をテント骨組体に対して取付ける際に用いる天幕取付具であって、確実にかつ強固に、しかも極めて省力的に天幕をテント骨組体に取付けるための天幕式テントにおける天幕取付具に関するものである。
【背景技術】
【０００２】
周知のように、屋外で行われる運動会、文化祭、バザー、祭などの諸行事、あるいは、短期イベントなどでは屋外に設置して用いる組立式テントが利用されている。この種の組立式テントは、屋外で行われる各種イベントで雨や直射日光を凌ぐものとして最適である。この組立式テントは、テント骨組みとなるパイプフレームと、このテント骨組みに取り付けられて骨組みの屋根となる天幕シートとからなっている（特許文献１において図１参照）。このテント骨組みとしては、支柱となるパイプフレーム部分と、軒（横梁）となるパイプフレーム部分と、棟となるパイプフレーム部分と、軒と棟との間を連結するために斜めに架けたパイプフレーム部分とによって構成されている。
【０００３】
これらのパイプフレーム部分からなるテント骨組みを組み立てた後（あるいは組み立てる途中で）、天幕シートをテント骨組みに被せ、天幕シートに予め取り付けられている結び紐をテント骨組みのパイプフレーム部分に縛り付けて、当該テント骨組みに天幕シートを取り付けている（図４参照）。
【０００４】
このように、天幕シートをテント骨組みに取付ける際、天幕シートに予め取り付けられている結び紐を利用するものでは、その結び作業が極めて煩雑であり、実際には、一般の者は正確なくくりかたも分からず、しかも手を伸ばしながらの作業は極めて困難であり、時間がかかるなどの多くの問題点を有していた。さらにまた、従来の結び紐による場合は、この結び紐自体には引っ張り力がないため、時間とともに天幕シートが撓んでしまい、撓んだ天幕シート上に雨水などが溜まってしまうという問題点を有していた。
【０００５】
【特許文献１】特開２００１−３２５７７号公報（要約、図１）
【特許文献２】特開２００１−３０３８００号公報（図１）
【考案の開示】
【考案が解決しようとする課題】
【０００６】
そこで、この考案では、上記する従来技術の問題点を解消すべくなしたものであって、特に重要な要素は、テント骨組体を組み立て、該テント骨組体に天幕を被せるようにして取付けるタイプの天幕式テントにおいて、当該天幕をテント骨組体に対して取付けるための天幕取付具を提供するものであり、これによって、天幕の取付を確実にかつ強固に、しかも極めて省力的に行い得るようになした天幕式テントにおける天幕取付具を提供するものである。
【課題を解決するための手段】
【０００７】
この考案は、上記する目的を達成するにあたって、具体的には、所望の長さ寸法を有する有端の締付体でなり、前記有端の締付体は、その長さ方向両端部分に、天幕に設けた第１および第２の連結部に対してそれぞれ個別に係合連結される第１および第２の連結手段を備え、長さ方向の適宜部位が長さ方向に伸縮する伸縮手段によって形成されており、前記有端の締付体におけるいずれか一方の連結手段を前記天幕に設けたいずれか一方の連結部に係合連結し、テント骨組の横梁を抱え込んで前記有端の締付体における他方の連結手段を前記天幕に設けた他方の連結部に係合連結して天幕をテント骨組に固定するようにしたことを特徴とする天幕式テントにおける天幕取付具を構成するものである。
【０００８】
さらにまた、この考案において請求項２に記載の考案は、請求項１に記載の天幕式テントにおける天幕取付具であって、前記有端の締付体の長さ方向両端部分に設けた第１および第２の連結手段が、トリガ−スナップタイプのフック素子であることを特徴とするものである。
【０００９】
さらに、この考案において請求項３に記載の考案は、請求項１あるいは請求項２に記載の考案であって、前記有端の締付体の長さ方向の適宜部位に設けた伸縮手段が、コイルスプリング素子であることを特徴とするものである。
【００１０】
さらに、この考案において請求項４に記載の考案は、請求項１あるいは請求項２に記載の考案であって、前記有端の締付体の長さ方向の適宜部位に設けた伸縮手段が、弾性を有する帯状体であることを特徴とするものである。
【００１１】
さらにまた、この考案において請求項５に記載の考案は、請求項１〜請求項４のいずれかに記載の考案であって、前記天幕に設けた第１の連結部が、前記天幕の内面に取り付けられた孔付きのペケット片からなり、前記天幕に設けた第２の連結部が、天幕に設けてある既存の結び紐挿通孔であることを特徴とするとするものである。
【００１２】
さらにまた、この考案において請求項６に記載の考案は、請求項１〜請求項４のいずれかに記載の考案であって、前記天幕に設けた第１の連結部が、前記天幕の内面に取り付けられた孔付きのペケット片からなり、前記天幕に設けた第２の連結部が、天幕に設けてある既存の結び紐をループ状に結んで形成したものからなることを特徴とするものである。
【００１３】
さらにまた、この考案において請求項７に記載の考案は、請求項１〜請求項４のいずれかに記載の考案であって、前記天幕に設けた第１の連結部が、テント骨組における棟梁であり、前記天幕取付具を補助連結部材を介して前記棟梁に連結してなることを特徴とするものである。
【考案の効果】
【００１４】
この考案になる天幕式テントにおける天幕取付具によれば、まず第１には、極めて簡潔な天幕取付具により構成されるものであり、多量生産に適合し、経済的にも極めて有利に作用するものであり、第２には、当該天幕取付具は、その長さ方向両端部分に、フック素子からなる第１および第２の連結手段を設けたものであることから、テント骨組みに対する天幕シートの取付け作業が極めて省力化される点において極めて有効に作用するものである。さらにまた、第３には、当該天幕取付具は、その長さ方向の適宜部位が長さ方向に伸縮する伸縮手段によって形成したことにより、テント骨組みに対して天幕シートを確実かつ強固に取付けることができ、しかも天幕シートを長時間的に張っておくことができる点においても極めて有効に作用するものといえる。
【考案を実施するための最良の形態】
【００１５】
以下、この考案になる天幕式テントにおける天幕取付具について、図面に示す具体的な実施例に基づいて詳細に説明する。図１は、この考案になる天幕式テントにおける天幕取付具を説明するためのものであって、図１Ａは、天幕式テントの全体像の一例を示す概略的な斜視図、図１Ｂは、この天幕式テントにこの考案になる天幕取付具を適用した部分を拡大して示す概略的な斜視図である。図２は、この考案になる天幕式テントにおける天幕取付具の異なる実施例を示すものであって、図２Ａは、有端の締付体が帯状体による例を示す概略的な斜視図、図２Ｂは、有端の締付体がコイルスプリングを含むものからなる例を示す概略的な斜視図である。
【００１６】
図３は、当該天幕式テントに対し、当該天幕取付具を使用して、テント骨組みに天幕を取り付けた状態を示すものであって、図３Ａは、左右一対の取付具の取付け態様を示す概略的な側断面図、図３Ｂは、有端の締付体が帯状体のものによる天幕取付具の取り付け状態を拡大して示す概略的な側断面図、図３Ｃは、有端の締付体がコイルスプリングを含むものによる天幕取付具の取り付け状態を拡大して示す概略的な側断面図、図３Ｄは、この考案の異なる実施例であって、天幕取付具に補助連結部材を組み合わせて、該補助連結部材の一端を天幕式テントにおける棟梁に連結した構成を示す概略的な側断面図である。
【００１７】
この考案になる天幕取付具１は、例えば、図１Ａに示すような天幕式テント２１に対して用いられるもので、テント骨組み２２に天幕シート２３を取り付けるためのものである。この天幕式テント２１は、テント骨組み２２となるパイプフレームと、このテント骨組み２２に取り付けられて骨組みの屋根となる天幕シート２３とからなっている。このテント骨組み２２としては、支柱となるパイプフレーム部分２４と、軒（横梁）となるパイプフレーム部分２５と、棟となるパイプフレーム部分２６と、軒と棟との間を連結するために斜めに架けたパイプフレーム部分２７とによって構成されている。
【００１８】
この考案になる天幕取付具１は、上記するパイプフレーム部分からなるテント骨組み２２を組み立てた後（あるいは組み立てる途中で）、天幕シート２３を該テント骨組み２２に被せ、当該テント骨組み２２に天幕シート２３を確実かつ強固に取り付けるためのものである。
【００１９】
上記のようにしてもて用いられる天幕取付具１は、基本的には、所望の長さ寸法を有する有端の締付体２によって構成されるものである。この天幕取付具１を構成する有端の締付体２は、その長さ方向両端部分２ａ、２ｂに、天幕シート２３に設けた第１および第２の連結部２８、２９に対してそれぞれ個別に係合連結される第１および第２の連結手段３、４を備え、長さ方向の適宜部位が長さ方向に伸縮する伸縮手段５によって形成されているものである。
【００２０】
この考案になる天幕取付具１における前記第１および第２の連結手段３、４は、好ましくは、それぞれ同一構造のものとして構成されており、前記有端の締付体におけるいずれか一方の連結手段３、４を前記天幕シート２３に設けたいずれか一方の連結部２８、２９に係合連結し、テント骨組み２２の横梁２５を抱え込んで前記有端の締付体２における他方の連結手段４、３を前記天幕シート２３に設けた他方の連結部２９、２８に係合連結して天幕シート２３をテント骨組み２２に固定するように構成してある（有端の締付体２における長さ方向の方向性は問はない）。
【００２１】
この考案において、前記有端の締付体２の長さ方向両端部分２ａ、２ｂに設けた第１および第２の連結手段３、４は、取り付けセッテイング作業の省力化を図る目的において、操作が容易であって、且つ、係合連結が確実に確保されるものとして、好ましくは、トリガ−スナップタイプのフック素子６によって構成されるものである。このフック素子６は、軽量化を図る目的において、プラスチック製のものであることが好ましい。
【００２２】
前記有端の締付体２の長さ方向の適宜部位に設けた伸縮手段５は、例えば、図２Ａに示すような弾性を有する帯状体７によって構成したものであってもよいし、あるいは、図２Ｂに示すようなコイルスプリング８によって構成したもののいずれであってもよい。
【００２３】
この考案になる天幕取付具１において、前記天幕シート２３に設けた第１の連結部２８は、前記天幕シート２３の内面２３ａに取り付けられた孔３１の付いたペケット片３０によって形成することができる。一方、前記天幕シート２３に設けた第２の連結部２９は、天幕シート２３に設けてある既存の結び紐挿通孔３２を備えた取付けペケット３２によって形成することができる。
【００２４】
この考案では、前記天幕シート２３に設けた第１の連結部２８が、前記天幕シート２３の内面２３ａに取り付けられた孔３１の付いたペケット片３０であり、前記天幕シート２３に設けた第２の連結部２９が、天幕シート２３に設けてある既存の結び紐挿通孔３２に取り付けることができる結び紐３５（図４参照）を利用し、これをループ状に結んで形成したものであってもよい。
【００２５】
さらに、この考案では、図３Ｄに示すように、天幕取付具１を補助連結部材９に連結しておき、この補助連結部材９の一端９ａを天幕式テントにおける棟梁２６に連結した構成をも含むものである。
【産業上の利用可能性】
【００２６】
この考案になる天幕式テントにおける天幕取付具１は、テント骨組体２２を組み立て、該テント骨組体２２に天幕シート２３を被せるようにして取付けるタイプの天幕式テント２１において、当該天幕シート２３をテント骨組体２２に対して取付けるための天幕取付具として用いられるものであり、これによって、天幕シート２３の取付を確実にかつ強固に、しかも極めて省力的に行い得る。さらにまた、この考案になる天幕式テントにおける天幕取付具１を用いることにより、天幕シート２３を長時間的に張っておくことができ、従来のように天幕シート２３の撓みによる雨などの貯留を未然に防ぐことができる。一方、この考案になる天幕式テントにおける天幕取付具１は、上記するとともに図１Ａに示すような天幕式テント２１に対してのみ適用されるものではなく、その他異なる種類のテントに対しても変更することなく、効果的適用が可能なものでもある。
【図面の簡単な説明】
【００２７】
【図１】図１は、この考案になる天幕式テントにおける天幕取付具の具体的な実施例を示すものであって、図１Ａは、天幕式テントの全体像の一例を示す概略的な斜視図、図１Ｂは、この天幕式テントにこの考案になる天幕取付具を適用した部分を拡大して示す概略的な斜視図である。
【図２】図２は、この考案になる天幕式テントにおける天幕取付具の異なる実施例を示すものであって、図２Ａは、有端の締付体が帯状体による例を示す概略的な斜視図、図２Ｂは、有端の締付体がコイルスプリングを含むものからなる例を示す概略的な斜視図である。
【図３】図３は、当該天幕式テントに対し、当該天幕取付具を使用して、テント骨組みに天幕を取り付けた状態を示すものであって、図３Ａは、左右一対の取付具の取付け態様を示す概略的な側断面図、図３Ｂは、有端の締付体が帯状体のものによる天幕取付具の取り付け状態を拡大して示す概略的な側断面図、図３Ｃは、有端の締付体がコイルスプリングを含むものによる天幕取付具の取り付け状態を拡大して示す概略的な側断面図、図３Ｄは、この考案の異なる実施例であって、天幕取付具に補助連結部材を組み合わせて、該補助連結部材の一端を天幕式テントにおける棟梁に連結した構成を示す概略的な側断面図である。
【図４】図４は、従来の例を示すものであり、図３Ｂ並びに図３Ｃに対応するものとして表した概略的な側断面図である。
【符号の説明】
【００２８】
１　天幕取付具
２　有端の締付体
２ａ、２ｂ　有端締付体の長さ方向両端部分
３　第１の連結手段
４　第２の連結手段
５　伸縮手段
６　トリガ−スナップタイプのフック素子
７　弾性を有する帯状体
８　コイルスプリング
９　補助連結部材
２１　天幕式テント
２２　テント骨組み
２３　天幕シート
２４　支柱となるパイプフレーム部分
２５　軒（横梁）となるパイプフレーム部分
２６　棟となるパイプフレーム部分
２７　軒と棟との間を連結するために斜めに架けたパイプフレーム部分
２８　第１の連結部
２９　第２の連結部
３０　ペケット片
３１　ペケット片の孔
３２　既存の結び紐挿通孔
【図１】
0003100361.tif 000003
【図２】
0003100361.tif 000004
【図３】
0003100361.tif 000005
【図４】
0003100361.tif 000006